(57)【要約】【課題】清潔で触感も向上した使用性の高い電気掃除機を提供することを目的とする。【解決手段】コード２を巻き取るコード巻取り装置５４は、コード２を巻き取るコードリールドラム１、前記コードリールドラム１の回動軸４、一端を前記回動軸４に他端を前記コードリールドラム１に固定し、前記コードリールドラム１を巻き込み方向に付勢するゼンマイバネ３、前記コードリールドラム１の外表面に圧接して前記コードリールドラム１の回転を制動するブレーキローラ８、押圧することで前記ブレーキローラ８の前記コードリールドラム１の外表面への圧接を解除し外表面に略凹凸のないコードリールボタン１２から構成されるとともに、前記コードリールボタン１２の上面を縦断面略半円状としたものである。【選択図】図３
2005230150.tif 000002
【特許請求の範囲】
【請求項１】
電動送風機に電源を供給するコードと、前記コードを巻き取るコード巻取り装置とを備え、前記コード巻取り装置は、コードを巻き取るコードリールドラム、前記コードリールドラムの回動軸、一端を前記回動軸に他端を前記コードリールドラムに固定し、前記コードリールドラムを巻き込み方向に付勢するゼンマイバネ、前記コードリールドラムの外表面に圧接して前記コードリールドラムの回転を制動するブレーキローラ、押圧することで前記ブレーキローラの前記コードリールドラムの外表面への圧接を解除し外表面に略凹凸のないコードリールボタンから構成されるとともに、前記コードリールボタンの上面を縦断面略半円状とした電気掃除機。
【請求項２】
内方に突出部を有するコードリールボタンを可視性を有する樹脂で形成し、前記突出部を、使用者に使用意図を表示する表示手段とした請求項１記載の電気掃除機。
【請求項３】
電動送風機を内蔵しさげ手を有する掃除機本体を備え、前記さげ手の略近傍にコードリールボタンを設けた請求項１または２記載の電気掃除機。
【発明の詳細な説明】
【技術分野】
【０００１】
本発明は、電気掃除機のコードリールに関するものである。
【背景技術】
【０００２】
従来の電気掃除機で、特に使用者がコードリールを巻き取る際に押すコードリールボタンは、一般的にコードリール表面に刻印などでコードリールマークが表示されている。
【０００３】
図８、図９はそれぞれ従来の電気掃除機のコードリールボタン部を示すもので、ボタン表面にはコードマークが記載されている。一般に市場に出回っている多くの電気掃除機についても、通常コードリールボタン上にはコードマークが凸状に刻印されているものが多くみられる（例えば、特許文献１、２参照）。
【特許文献１】特開平２−２６１４１７号公報
【特許文献２】特開平４−２１８１３１号公報
【発明の開示】
【発明が解決しようとする課題】
【０００４】
しかしながら、上記従来の構成では、コードリールボタン上に刻印がなされているため、押した際の触感が悪く、頻繁に押される部分であるため、使用を重ねたり、汚れた手などによって押されたりした場合に刻印の周囲に汚れがたまり外観を損ねるうえ、不潔感があるなどの問題を有していた。
【０００５】
本発明は、上記課題を解決するもので、清潔で触感も向上した使用性の高い電気掃除機を提供することを目的とする。
【課題を解決するための手段】
【０００６】
前記従来の課題を解決するために本発明の電気掃除機は、電動送風機に電源を供給するコードと、前記コードを巻き取るコード巻取り装置とを備え、前記コード巻取り装置は、コードを巻き取るコードリールドラム、前記コードリールドラムの回動軸、一端を前記回動軸に他端を前記コードリールドラムに固定し、前記コードリールドラムを巻き込み方向に付勢するゼンマイバネ、前記コードリールドラムの外表面に圧接して前記コードリールドラムの回転を制動するブレーキローラ、押圧することで前記ブレーキローラの前記コードリールドラムの外表面への圧接を解除し外表面に略凹凸のないコードリールボタンから構成されるとともに、前記コードリールボタンの上面を縦断面略半円状としたもので、これによりコードリールボタンの触感を向上でき、さらに汚れ付着を防止して、本体外郭の清掃も容易にするもので、使用性の高い電気掃除機を提供できる。
【発明の効果】
【０００７】
本発明によれば、清潔で触感も向上した使用性の高い電気掃除機を提供できる。
【発明を実施するための最良の形態】
【０００８】
第１の発明は、電動送風機に電源を供給するコードと、前記コードを巻き取るコード巻取り装置とを備え、前記コード巻取り装置は、コードを巻き取るコードリールドラム、前記コードリールドラムの回動軸、一端を前記回動軸に他端を前記コードリールドラムに固定し、前記コードリールドラムを巻き込み方向に付勢するゼンマイバネ、前記コードリールドラムの外表面に圧接して前記コードリールドラムの回転を制動するブレーキローラ、押圧することで前記ブレーキローラの前記コードリールドラムの外表面への圧接を解除し外表面に略凹凸のないコードリールボタンから構成されるとともに、前記コードリールボタンの上面を縦断面略半円状としたもので、コードリールボタンの外表面が滑らかであるため、使用者が頻繁に操作する部位であるコードリールボタンに手の汚れが付着しにくくすることができ、万一付着した場合にも掃除がしやすく外観を美しく保つことができ、触感をも向上できるものである。
【０００９】
第２の発明は、内方に突出部を有するコードリールボタンを可視性を有する樹脂で形成し、前記突出部を、使用者に使用意図を表示する表示手段としたもので、外表面を滑らかなままとし、印刷などの工程なしにコードリールマークを表示することができ、使用者はコードリールボタンであると認識しやすくなる。
【００１０】
第３の発明は、電動送風機を内蔵しさげ手を有する掃除機本体を備え、前記さげ手の略近傍にコードリールボタンを設けたもので、使用者が本体を持ち上げたまま片手でコードリールボタンを押す動作について、屈んだり中腰になったりいった無理な体勢を取る必要がなく使用者の負担を軽減できる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における電気掃除機の斜視図である。
【００１３】
電気掃除機５０の全体を示すもので、電気掃除機本体５１は、掃除機前方には吸引した塵埃を集塵する集塵室５２を、後方には吸引風を発する電動送風機５３とコード巻取り装置５４を配置しており、掃除機本体５１に設けた接続口５５に、延長管５６を接続した手元ハンドル５７を有するホース５８を接続し、吸込み具５９を延長管５６と接続することにより、掃除機本体５１の接続口５５まで連通するように構成されている。
【００１４】
図２はコード巻取り装置５４の構成図である。図２に示すようにコード巻取り装置５４はコードリールドラム１をコード２巻き込み方向に付勢するゼンマイばね３を備えており、ゼンマイばね３は一端は回動軸４に他端はコード２を巻き取るコードリールドラム１に固定している。回動軸４は隔壁５に固着されてコードリールドラム１を支持している。
【００１５】
図３はコード巻取り装置５４の断面図である。ブレーキレバー６はコードリールドラム１の外周面と隔壁５に設けたブレーキ面とにブレーキレバースプリング７のバネ力に付勢されたブレーキローラ８が同時に接触することによってコードリールドラム１の回転を制動しているものである。また、コードリールボタン１２はスプリング９により付勢され、コードリールボタン１２が本体ケース１０に設けたボス１１に嵌合して上下に動作する。図３に示すようにコードリールボタン１２の形状は操作部表面全てあるいはその略中心部が球状で、操作部表面は刻印などの凹凸がなく滑らかになっている。コードマークなどの刻印をしない代わりに、コードリールボタン付近にコードマークを印刷などして示す。
【００１６】
以上のように構成されたコード巻取り装置５４について、以下、その動作、作用を説明する。使用者がコードリールボタン１２を押すとコードリールボタンに設けられたリブ１３がブレーキレバー６を押し下げてブレーキレバー６が回動し、ブレーキローラ８のコードリールドラム１への接触が解除され、ゼンマイバネ３の付勢力によりコード２が巻き取られる。ここでコードリールボタン１２は使用頻度が高いものであるが、凹凸がないため、汚れが付着しにくい。
【００１７】
以上のように、本実施の形態において、コードリールボタン１２の表面には刻印などの凹凸がないため、コードを巻き取る際の触感がよい。さらに汚れが付着しにくく、万が一コードリールボタン１２が汚れた際には容易に清掃することができ、メンテナンス性の良い電気掃除機を提供することができる。
【００１８】
（実施の形態２）
図４はコードリールボタンの平面図、図５はコードリールボタンの底面図である。
【００１９】
図５に示すようにコードリールボタン１２のリブ１３は図５に示すようにコードリールマークを示す形状とし、補強と表示の両方の役割をもたせる。この時コードリールボタン１２は透明樹脂にて成形する。
【００２０】
以上のように構成したコードリールボタン１２は透明樹脂であるので、リブ形状が透けることで、図４に示すように使用者は容易にコードリールボタン１２の機能を認識することができ、さらに新たにコードリールマークの印刷を施す必要がなくなる。
【００２１】
（実施の形態３）
図７は本発明の第３の実施の形態における電気掃除機の実使用の図である。図６に示すように掃除機本体５１持ち運び用のサゲテ６０の前記さげ手の略近傍にコードリールボタン１２の中心を配置している。
【００２２】
使用者は掃除が終わった際、コード２を巻き込むためにコードリールボタン１２を押すが、この時コードリールボタンがサゲテ６０近傍に位置しているため、図７に示すように使用者は掃除機本体５１を持ったままコードを巻き取ることができ、腰をかがめたりするなどの無理な体勢を取る必要がなく、さらにコードリールボタン表面は凹凸がないため触感がよいため、使い勝手の良い電気掃除機を提供することができる。
【産業上の利用可能性】
【００２３】
以上のように、本発明にかかる電気掃除機は、コードリールボタン操作部表面すべて、もしくはその略中心部を球状で滑らかにしたことでボタンの触感を向上でき、さらに汚れ付着を防止して、本体外郭の清掃も容易にするものであり、コード巻取り装置を有する電気掃除機に有用である。
【図面の簡単な説明】
【００２４】
【図１】本発明の第１の実施の形態における電気掃除機の斜視図
【図２】同コード巻取り装置の構成図
【図３】同コード巻取り装置の断面図
【図４】本発明の第２の実施の形態におけるコードリールボタンの平面図
【図５】同コードリールボタンの底面図
【図６】本発明の第３の実施の形態における電気掃除機の平面図
【図７】同電気掃除機の使用時の図
【図８】従来のコードリールボタンを有する電気掃除機の上面図
【図９】従来の他のコードリールボタンを示す電気掃除機の斜視図
【符号の説明】
【００２５】
１  コードリールドラム
２  コード
３  ゼンマイバネ
４  回動軸
５  隔壁
６  ブレーキレバー
７  ブレーキペダルスプリング
８  ブレーキローラ−
９  スプリング
１０  本体ケース
１１  ボス
１２  コードリールボタン
１３  リブ（突出部）
【図１】
2005230150.tif 000003
【図２】
2005230150.tif 000004
【図３】
2005230150.tif 000005
【図４】
2005230150.tif 000006
【図５】
2005230150.tif 000007
【図６】
2005230150.tif 000008
【図７】
2005230150.tif 000009
【図８】
2005230150.tif 000010
【図９】
2005230150.tif 000011